(57)【特許請求の範囲】
【請求項１】
着色剤、水、水溶性有機溶剤およびアセチレングリコール系界面活性剤を含むインクジェット記録用インクであって、
前記着色剤が、下記化学式（１−Ａ）で表される化合物、下記化学式（１−Ｂ）で表される化合物、下記化学式（１−Ｃ）で表される化合物、下記化学式（１−Ｄ）で表される化合物、下記化学式（１−Ｅ）で表される化合物および下記化学式（１−Ｆ）で表される化合物からなる群から選択される少なくとも一つの染料を含み、
前記水溶性有機溶剤が、ジプロピレングリコールプロピルエーテルを含み、
前記アセチレングリコール系界面活性剤が、下記一般式（２）で表される界面活性剤を含み、
前記染料、前記ジプロピレングリコールプロピルエーテルおよび前記一般式（２）で表される界面活性剤が、それぞれ、下記（Ａ）〜（Ｃ）の条件を満たすように配合されていることを特徴とするインクジェット記録用インク。
（Ａ）  ０．１≦ｘ≦１．０
（Ｂ）  ０．５≦ｙ≦３
（Ｃ）  ｙ≧２５ｘ／９＋２／９において、
−１７５ｘ＋１８ｙ＋２２５ｚ−１０４≦０  且つ
−１００ｘ＋１８ｙ＋２２５ｚ−６６．５≧０
ｙ≦２５ｘ／９＋２／９において、
−２７５ｘ＋５４ｙ＋２２５ｚ−１１２≦０  且つ
−２００ｘ＋５４ｙ＋２２５ｚ−７４．５≧０
ｘ：インク全量に対する前記染料の配合量（重量％）
ｙ：インク全量に対するジプロピレングリコールプロピルエーテルの配合量（重量％）
ｚ：インク全量に対する一般式（２）で表される界面活性剤の配合量（重量％）
【化２】
0005398979.tif 000017
前記一般式（２）において、ｍおよびｎは同一でも異なっていてもよく、ｍ＋ｎ＝１〜１５を満たす数であり、
Ｒ１１、Ｒ１２、Ｒ１３およびＲ１４は、それぞれ同一でも異なっていてもよく、炭素原子数１〜５の直鎖状または分岐鎖状アルキル基である。
【化３】
0005398979.tif 000018
【化４】
0005398979.tif 000019
【化５】
0005398979.tif 000020
【化６】
0005398979.tif 000021
【化７】
0005398979.tif 000022
【化８】
0005398979.tif 000023
【請求項２】
ライトインクとして用いられる請求項１記載のインクジェット記録用インク。
【請求項３】
マゼンタインクとして用いられる請求項１または２記載のインクジェット記録用インク。
【請求項４】
インクジェット記録用インクを含むインクカートリッジであって、前記インクが、請求項１〜３のいずれか一項に記載のインクジェット記録用インクであることを特徴とするインクカートリッジ。
【請求項５】
インクカートリッジおよびインク吐出手段を含み、インクジェット記録用インクが前記インク吐出手段から吐出されるインクジェット記録装置であって、前記インクカートリッジが、請求項４記載のインクカートリッジであることを特徴とするインクジェット記録装置。
【請求項６】
さらに、ゴム部材を含み、
前記ゴム部材が、エチレンプロピレンゴムを含む請求項５記載のインクジェット記録装置。
【請求項７】
マゼンタインクおよびブラックインクを含むインクジェット記録用インクセットであって、
前記マゼンタインクが、請求項３記載のインクジェット記録用インクであり、
背景に前記マゼンタインク、ラインに前記ブラックインクを用いて印画した評価サンプルの前記マゼンタインクと前記ブラックインクとの境界部におけるＩＳＯ１３６６０で定義された前記ラインのラジェットネス（Ｒａｇ）が、３０未満であることを特徴とするインクジェット記録用インクセット。
【発明の詳細な説明】
【技術分野】
【０００１】
本発明は、インクジェット記録用インク、インクカートリッジおよびインクジェット記録装置に関する。
【背景技術】
【０００２】
従来から、インクジェット記録用インクとして、染料、ジプロピレングリコールプロピルエーテルおよびアセチレングリコール系界面活性剤等を含むインクが知られている（例えば、特許文献１参照）。前記インクには、（１）長期間の使用においても、噴射安定性に優れていること、（２）印字品質に優れていること、（３）インクジェット記録装置を形成する材料に由来する化合物が、インク中に溶出することを防止すること、（４）記録物の耐光性、耐オゾン性等の堅牢性に優れていることが求められる。しかしながら、従来のインクには、前記すべての性能を満たすものがなかった。なお、前記インクジェット記録装置を形成する材料としては、例えば、ゴム部材およびゴム材料以外の有機材料部材があげられる。前記ゴム部材は、例えば、ワイパおよびキャップがあげられる。前記ワイパは、例えば、インクジェットヘッドのノズル面を払拭するものである。前記キャップは、例えば、前記ノズル面と外界とを遮断するものである。前記ゴム部材等に由来する化合物が前記インク中へ溶出すると、前記インク中に前記化合物が析出する場合がある。前記化合物が析出すると、例えば、前記インクジェットヘッドのノズルが目詰まりするおそれがある。
【０００３】
【特許文献１】特開平９−１１１１６５号公報
【発明の開示】
【発明が解決しようとする課題】
【０００４】
そこで、本発明は、噴射安定性および印字品質に優れ、インクジェット記録装置内のゴム部材等に由来する化合物のインク中への溶出が防止され、且つ、記録物の堅牢性にも優れるインクジェット記録用インクを提供することを目的とする。
【課題を解決するための手段】
【０００５】
前記目的を達成するために、本発明のインクジェット記録用インクは、
着色剤、水、水溶性有機溶剤およびアセチレングリコール系界面活性剤を含むインクジェット記録用インクであって、
前記着色剤が、下記化学式（１−Ａ）で表される化合物、下記化学式（１−Ｂ）で表される化合物、下記化学式（１−Ｃ）で表される化合物、下記化学式（１−Ｄ）で表される化合物、下記化学式（１−Ｅ）で表される化合物および下記化学式（１−Ｆ）で表される化合物からなる群から選択される少なくとも一つの染料を含み、
前記水溶性有機溶剤が、ジプロピレングリコールプロピルエーテルを含み、
前記アセチレングリコール系界面活性剤が、下記一般式（２）で表される界面活性剤を含み、
前記染料、前記ジプロピレングリコールプロピルエーテルおよび前記一般式（２）で表される界面活性剤が、それぞれ、下記（Ａ）〜（Ｃ）の条件を満たすように配合されていることを特徴とする。
（Ａ）  ０．１≦ｘ≦１．０
（Ｂ）  ０．５≦ｙ≦３
（Ｃ）  ｙ≧２５ｘ／９＋２／９において、
−１７５ｘ＋１８ｙ＋２２５ｚ−１０４≦０  且つ
−１００ｘ＋１８ｙ＋２２５ｚ−６６．５≧０
ｙ≦２５ｘ／９＋２／９において、
−２７５ｘ＋５４ｙ＋２２５ｚ−１１２≦０  且つ
−２００ｘ＋５４ｙ＋２２５ｚ−７４．５≧０
ｘ：インク全量に対する前記染料の配合量（重量％）
ｙ：インク全量に対するジプロピレングリコールプロピルエーテルの配合量（重量％）
ｚ：インク全量に対する一般式（２）で表される界面活性剤の配合量（重量％）
【化２】
0005398979.tif 000002
前記一般式（２）において、ｍおよびｎは同一でも異なっていてもよく、ｍ＋ｎ＝１〜１５を満たす数であり、
Ｒ１１、Ｒ１２、Ｒ１３およびＲ１４は、それぞれ同一でも異なっていてもよく、炭素原子数１〜５の直鎖状または分岐鎖状アルキル基である。
【化３】
0005398979.tif 000003
【化４】
0005398979.tif 000004
【化５】
0005398979.tif 000005
【化６】
0005398979.tif 000006
【化７】
0005398979.tif 000007
【化８】
0005398979.tif 000008
【発明の効果】
【０００６】
本発明者等は、一連の研究を重ねたところ、前記染料を含むインクにおいて、前記染料、前記ジプロピレングリコールプロピルエーテルおよび前記一般式（２）で表される界面活性剤を前記（Ａ）〜（Ｃ）の条件を満たすように配合すれば、噴射安定性および印字品質に優れ、インクジェット記録装置内のゴム部材等に由来する化合物のインク中への溶出が防止され、且つ、記録物の堅牢性にも優れることを見出し、本発明に至った。このような性能の向上は、本発明者等が初めて見出したものである。本発明のインクが前記すべての性能に優れるメカニズムは、例えば、つぎのように推測される。前記染料は、前記染料を含むインクを用いた記録物の耐光性、耐オゾン性等の堅牢性に優れる。しかし、前記染料を含むインクは、例えば、長期間使用する場合の噴射安定性に問題がある。これに対し、本発明のインクは、前記ジプロピレングリコールプロピルエーテルおよび前記一般式（２）で表される界面活性剤が前記（Ａ）〜（Ｃ）の条件を満たすように配合されているため、長期間使用する場合においても、噴射安定性に優れ、印字品質にも優れ、さらにインクジェット記録装置内のゴム部材等に由来する化合物のインク中への溶出も防止される。これらの性能向上のメカニズムは推測であり、本発明を何ら限定しない。また、例えば、着色剤の配合量が多いインクを用いて、空色や肌色等の薄い色を表現する場合においては、インクのドット密度を低下させる必要がある。前記ドット密度の低下は、粒状感を生じさせてしまう。これに対し、本発明のインクは、前記染料の配合量が１．０重量％以下と少ないため、例えば、前記ドット密度を低下させずとも薄い色を表現でき、粒状感を生じさせることもない。このように、本発明のインクは、例えば、後述のような着色剤の配合量の少ないライトインクとして、好適に利用できる。
【発明を実施するための最良の形態】
【０００７】
本発明において、ライトインクとは、例えば、インク全量に対する着色剤の配合量が、０．１〜１．０重量％であるインクである。
【０００８】
本発明のインクジェット記録用インクにおいて、インク全量に対する、前記染料の配合量（ｘ）、ジプロピレングリコールプロピルエーテル（ＤＰＰ）の配合量（ｙ）および一般式（２）で表される界面活性剤の配合量（ｚ）は、図１に示すｘｙｚ座標系の平面Ｐ１〜Ｐ８によって囲まれた空間内に含まれる。
【０００９】
前述のとおり、本発明のインクジェット記録用インクは、例えば、ライトインクとして好適に利用できる。ただし、本発明は、これに限定されない。本発明のインクジェット記録用インクは、前記染料以外の着色剤を用いることにより、ライトインク以外のインク（例えば、一般的な濃さのインク）とすることもできる。
【００１０】
本発明のインクジェット記録用インクの用途は、特に限定されず、例えば、マゼンタインクとして用いることができる。ただし、本発明は、これに限定されない。本発明のインクジェット記録用インクは、前記染料以外の着色剤を用いることにより、マゼンタ以外の色のインクとすることもできる。
【００１１】
本発明のインクカートリッジは、インクジェット記録用インクを含むインクカートリッジであって、前記インクが、本発明の前記インクジェット記録用インクであることを特徴とする。
【００１２】
本発明のインクジェット記録装置は、インクカートリッジおよびインク吐出手段を含み、インクジェット記録用インクが前記インク吐出手段から吐出されるインクジェット記録装置であって、前記インクカートリッジが、本発明の前記インクカートリッジであることを特徴とする。
【００１３】
つぎに、本発明のインクジェット記録用インクについて説明する。本発明のインクは、着色剤、水、水溶性有機溶剤およびアセチレングリコール系界面活性剤を含む。前述のとおり、前記着色剤は、下記化学式（１−Ａ）で表される化合物、下記化学式（１−Ｂ）で表される化合物、下記化学式（１−Ｃ）で表される化合物、下記化学式（１−Ｄ）で表される化合物、下記化学式（１−Ｅ）で表される化合物および下記化学式（１−Ｆ）で表される化合物からなる群から選択される少なくとも一つの染料を含む。
【００２７】
【化３】
0005398979.tif 000009
【００２８】
前記化学式（１−Ａ）で表される化合物は、前記一般式（１）において、Ｒ１がｔｅｒｔ−ブチル基、Ｒ２がシアノ基、Ｒ３がベンゾチアゾール−２−イル基、Ｒ４が水素原子、Ｒ５およびＲ６がｐ−オクチルフェニル基、Ｒ７が水素原子であり、Ａ１がメチル基で置換されている炭素原子、Ａ２がシアノ基で置換されている炭素原子である態様である。
【００２９】
【化４】
0005398979.tif 000010
【００３０】
前記化学式（１−Ｂ）で表される化合物は、前記一般式（１）において、Ｒ１がｔｅｒｔ−ブチル基、Ｒ２がシアノ基、Ｒ３およびＲ４がベンゾチアゾール−２−イル基、Ｒ５およびＲ６がメシチル基、Ｒ７が水素原子であり、Ａ１がメチル基で置換されている炭素原子、Ａ２が炭素原子である態様である。
【００３１】
【化５】
0005398979.tif 000011
【００３２】
前記化学式（１−Ｃ）で表される化合物は、前記一般式（１）において、Ｒ１がｔｅｒｔ−ブチル基、Ｒ２がシアノ基、Ｒ３およびＲ４が６−スルホナトリウム塩ベンゾチアゾール−２−イル基、Ｒ５およびＲ６が３−スルホナトリウム塩−メシチル基、Ｒ７が水素原子であり、Ａ１がメチル基で置換されている炭素原子、Ａ２が炭素原子である態様である。
【００３３】
【化６】
0005398979.tif 000012
【００３４】
前記化学式（１−Ｄ）で表される化合物は、前記一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−メチル−３−スルホリチウム塩フェニル基、Ｒ７が水素原子であり、Ａ１がメチル基で置換されている炭素原子、Ａ２が炭素原子である態様である。
【００３５】
【化７】
0005398979.tif 000013
【００３６】
前記化学式（１−Ｅ）で表される化合物は、前記一般式（１）において、Ｒ１がｔｅｒｔ−ブチル基、Ｒ２がシアノ基、Ｒ３およびＲ４が６−スルホカリウム塩ベンゾチアゾール−２−イル基、Ｒ５およびＲ６が３−スルホカリウム塩−メシチル基、Ｒ７が水素原子であり、Ａ１がメチル基で置換されている炭素原子、Ａ２が炭素原子である態様である。
【００３７】
【化８】
0005398979.tif 000014
【００３８】
前記化学式（１−Ｆ）で表される化合物は、前記一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−スルホリチウム塩フェニル基、Ｒ７が水素原子であり、Ａ１がメチル基で置換されている炭素原子、Ａ２が炭素原子である態様である。
【００３９】
前述のとおり、前記染料の配合量は、０．１〜１．０重量％である（０．１≦ｘ≦１．０の条件を満たす）。前記染料の配合量を前記範囲とすることで、印字品質に優れたインクを得ることができ、また、例えば、ドット密度を低下させずとも薄い色を表現できるため、粒状感を生じさせることがなく、ライトインクとして好適に利用できる。
【００４０】
前記着色剤は、前記染料のみで構成されていてもよいし、本発明の効果を損なわない範囲で、さらに他の染料および顔料等を含んでもよい。
【００４１】
前記水は、イオン交換水または純水であることが好ましい。前記インク全量に対する前記水の配合量は、例えば、１０〜９０重量％であり、好ましくは、４０〜８０重量％である。前記水の配合量は、例えば、他の成分の残部としてもよい。
【００４２】
前記水溶性有機溶剤は、例えば、インクジェットヘッドの先端部におけるインクの乾燥を防止する湿潤剤および記録紙面上での乾燥速度を調整する浸透剤に分類される。
【００４３】
前記湿潤剤は、限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、限定されず、例えば、ポリエチレングリコール、ポリプロピレングリコール等があげられる。前記アルキレングリコールは、限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。これらの湿潤剤は、１種類を単独で用いてもよいし、２種類以上を併用してもよい。
【００４４】
前記湿潤剤の配合量は、特に制限されない。前記インク全量に対する前記湿潤剤の配合量は、例えば、０〜９５重量％であり、好ましくは、１０〜８０重量％であり、より好ましくは、１０〜５０重量％である。
【００４５】
本発明のインクジェット記録用インクは、前記浸透剤として、ジプロピレングリコールプロピルエーテル（ＤＰＰ）を含む。前述のとおり、前記ＤＰＰの配合量は、前記インク全量に対し、０．５〜３．０重量％である（０．５≦ｙ≦３．０の条件を満たす）。
【００４６】
前記浸透剤は、前記ＤＰＰのみで構成されていてもよいし、本発明の効果を損なわない範囲で、さらに他の浸透剤を含んでもよい。
【００４７】
前記ＤＰＰ以外の浸透剤は、限定されず、例えば、エチレングリコールメチルエーテル、エチレングリコールエチルエーテル、エチレングリコールプロピルエーテル、ジエチレングリコールメチルエーテル、ジエチレングリコールエチルエーテル、ジエチレングリコールプロピルエーテル、ジエチレングリコールブチルエーテル、トリエチレングリコールメチルエーテル、トリエチレングリコールエチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールブチルエーテル、トリプロピレングリコールメチルエーテル、トリプロピレングリコールエチルエーテル、トリプロピレングリコールプロピルエーテル、トリプロピレングリコールブチルエーテル等があげられる。前記ＤＰＰ以外の浸透剤は、１種類だけ用いてもよいし、２種類以上用いてもよい。
【００４８】
前述のとおり、本発明のインクは、アセチレングリコール系界面活性剤を含む。前記アセチレングリコール系界面活性剤は、前記一般式（２）で表される界面活性剤を含む。前記一般式（２）において、前記ｍおよびｎは、同一でも異なっていてもよく、ｍ＋ｎ＝１〜１５を満たす数であり、好ましくは、ｍ＋ｎ＝３〜１１を満たす数である。Ｒ１１、Ｒ１２、Ｒ１３およびＲ１４は、それぞれ同一でも異なっていてもよく、炭素原子数１〜５の直鎖状または分岐鎖状アルキル基である。前記アルキル基は、例えば、メチル基、エチル基、プロピル基、イソプロピル基、ブチル基等を含む。
【００４９】
前記一般式（２）で表される界面活性剤は、例えば、市販品を用いてもよい。前記市販品としては、例えば、日信化学工業（株）製のオルフィン（登録商標）Ｅ１０１０、オルフィン（登録商標）Ｅ１００４、サーフィノール（登録商標）４４０およびサーフィノール（登録商標）４６５；川研ファインケミカル（株）製のアセチレノール（登録商標）Ｅ４０およびアセチレノール（登録商標）Ｅ１００等があげられる。
【００５０】
前述のとおり、前記一般式（２）で表される界面活性剤は、前記条件（Ｃ）を満たすように配合されている。
【００５１】
本発明のインクジェット記録用インクは、本発明の効果を損なわない範囲で、前記一般式（２）で表される界面活性剤以外の界面活性剤を含んでもよい。前記一般式（２）で表される界面活性剤以外の界面活性剤は、限定されず、例えば、花王（株）製のアニオン界面活性剤「ＥＭＡＬ（登録商標）」シリーズ、「ＬＡＴＥＭＵＬ（登録商標）」シリーズ、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ、「ＰＥＬＥＸ（登録商標）」シリーズ等；ライオン（株）製のアニオン界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）」シリーズ，「ＥＮＡＧＩＣＯＬ（登録商標）」シリーズ、「ＬＩＰＡＬ（登録商標）」シリーズ、「ＬＯＴＡＴ（登録商標）」シリーズ等；花王（株）製のノニオン界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）」シリーズ、「ＡＭＩＮＯＮ（登録商標）」シリーズ等；ライオン（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ（登録商標）」シリーズ、「ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等があげられる。前記一般式（２）で表される界面活性剤以外の界面活性剤は、１種類だけ用いてもよいし、２種類以上用いてもよい。
【００５２】
前記インクは、必要に応じて、さらに、従来公知の添加剤を含んでもよい。前記添加剤としては、例えば、粘度調整剤、表面張力調整剤、防黴剤等があげられる。前記粘度調整剤は、限定されず、例えば、ポリビニルアルコール、セルロース、水溶性樹脂等があげられる。
【００５３】
前記インクは、例えば、着色剤、水、水溶性有機溶剤およびアセチレングリコール系界面活性剤と、必要に応じて他の添加成分とを、従来公知の方法で均一に混合し、フィルターで不溶解物を除去することにより調製できる。
【００５４】
前述のとおり、本発明のインクは、前記染料、前記ジプロピレングリコールプロピルエーテルおよび前記一般式（２）で表される界面活性剤が前記（Ａ）〜（Ｃ）の条件を満たすように配合されているため、噴射安定性に優れ、印字品質にも優れるとともに、インクジェット記録装置内のゴム部材等に由来する化合物のインク中への溶出も防止される。
【００５５】
前述のとおり、本発明のインクは、例えば、マゼンタインクとして用いることができる。ただし、本発明は、これに限定されない。本発明のインクは、前記染料以外の着色剤を用いることにより、マゼンタ以外の色のインクとすることもできる。
【００５６】
本発明のインクカートリッジは、本発明の前記インクジェット記録用インクを含むインクカートリッジである。本発明のインクカートリッジの本体としては、例えば、従来公知のものを使用できる。
【００５７】
つぎに、本発明のインクジェット記録装置について説明する。本発明のインクジェット記録装置には、本発明の前記インクカートリッジを含む。これを除き、本発明のインクジェット記録装置の構成は、例えば、従来公知のインクジェット記録装置と同様であってもよい。
【００５８】
図２に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。
【００５９】
前記４つのインクカートリッジ２は、イエロー、マゼンタ、シアンおよびブラックの４色のインクを、それぞれ１色ずつ含む。例えば、前記マゼンタインクが、前記本発明のインクである。前記インクジェットヘッド３は、記録紙等の被記録材Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００６０】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ部５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００６１】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００６２】
前記被記録材Ｐは、このインクジェット記録装置１の側方又は下方に設けられた給紙カセット（図示せず）から給紙される。前記被記録材Ｐは、前記インクジェットヘッド３と、前記プラテンローラ７との間に導入される。すると、前記被記録材Ｐに、前記インクジェットヘッド３から吐出されるインクにより所定の印字がなされる。前記被記録材Ｐは、その後、前記インクジェット記録装置１から排紙される。図２においては、前記被記録材Ｐの給紙機構及び排紙機構の図示を省略している。
【００６３】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッドの回復が図られる。前記吸引された不良インクは、前記インク貯留部１７に貯められる。
【００６４】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図２において、キャップ１８は、インクの乾燥を防止するため、印字が終了すると前記リセット位置に戻される前記インクジェットヘッド３の複数のノズルを覆うものである。
【００６５】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記チューブ等により、前記インクカートリッジから前記ヘッドユニットに前記インクが供給される。
【実施例】
【００６６】
つぎに、本発明の実施例について比較例と併せて説明する。なお、本発明は、下記の実施例および比較例によってなんら限定ないし制限されない。
【００６７】
［実施例１〜１２および比較例１〜１５］
インク組成成分（下記表１および表２）を、均一に混合した。その後、得られた混合物を、東洋濾紙（株）製の親水性ポリテトラフルオロエチレン（ＰＴＦＥ）タイプメンブレンフィルタ（孔径０．２μｍ）を用いてろ過することで、実施例１〜１２および比較例１〜１５のインクジェット記録用インクを得た。なお、表１および表２において、染料（１−Ａ）〜（１−Ｆ）は、それぞれ、前記化学式（１−Ａ）〜（１−Ｆ）で表される化合物である。
【００６８】
各実施例および各比較例のインクについて、（ａ）印字品質評価（ブリーディング）、（ｂ）印字品質評価（フェザリング）、（ｃ）噴射安定性評価、（ｄ）耐オゾン性評価、（ｅ）耐光性評価、（ｆ）ゴム析出性評価、および（ｇ）総合評価を、下記の方法により行った。なお、（ｄ）耐オゾン性評価用および（ｅ）耐光性評価用のサンプルは、つぎのようにして準備した。
【００６９】
すなわち、まず、各実施例および各比較例のインクを、インクカートリッジに充填した。ついで、前記インクカートリッジを、ブラザー工業（株）製のインクジェットプリンタ搭載デジタル複合機ＤＣＰ−３３０Ｃに装着した。つぎに、ブラザー工業（株）製の写真光沢紙ＢＰ６１ＧＬＡに前記インクのグラデーションサンプルをプリントし、初期ＯＤ値０．８のパッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【００７０】
（ａ）印字品質評価（ブリーディング）
ブラザー工業（株）製のインクジェットプリンタ搭載デジタル複合機ＤＣＰ−３３０Ｃを使用し、富士通コワーコ（株）製のオフィス用紙Ｗ上に、背景に各実施例および各比較例のインク、ラインにブラザー工業（株）製のインクカートリッジＬＣ１０ＢＫに充填されたブラックインクを用いて評価サンプルの印画を行った。各実施例および各比較例のインクと前記ブラックインクとの境界部のＲａｇを、ＩＳＯ１３６６０に準ずる方法により測定した。ここで、Ｒａｇとは、ＩＳＯ１３６６０で定義されたラインのラジェットネスであり、ラジェットなラインとは、本来スムーズで真っ直ぐなはずの理想のラインエッジに対して波打っている状態を示す。得られたＲａｇから、下記の評価基準に従って評価した。
【００７１】
印字品質評価（ブリーディング）基準
Ａ：ラインのＲａｇが、３０未満
Ｃ：ラインのＲａｇが、３０以上
【００７２】
（ｂ）印字品質評価（フェザリング）
ブラザー工業（株）製のインクジェットプリンタ搭載デジタル複合機ＤＣＰ−３３０Ｃを使用し、富士通コワーコ（株）製のオフィス用紙Ｗ上に、各実施例および各比較例のインクを用いてテキスト印刷を行った。前記テキスト印刷の結果を、下記の評価基準に従って評価した。フェザリングとは、被記録材において繊維および空隙の存在に起因して紙面上に生じる微細なインクの浸透滲みである。
【００７３】
印字品質評価（フェザリング）基準
Ａ：フェザリングが認められず、テキストのエッジがシャープであった。
Ｃ：フェザリングがやや目立つか、明らかにフェザリングが目立ち、テキストのエッジがシャープでなかった。
【００７４】
（ｃ）噴射安定性評価
ブラザー工業（株）製のインクジェットプリンタ搭載デジタル複合機ＤＣＰ−３３０Ｃを使用し、富士通コワーコ（株）製のオフィス用紙Ｗ上に、１億ドット（約３万枚）の連続印字を行った。前記連続印字の結果を、下記の基準に従って評価した。不吐出とは、インクジェットヘッドのノズルが目詰まりし、前記インクが吐出されない状態である。吐出曲がりとは、インクジェットヘッドのノズルの一部が目詰まりし、前記インクが、前記記録用紙に対して垂直に吐出されず、斜めに吐出される状態である。
【００７５】
噴射安定性評価基準
Ａ：連続印字中において、不吐出および吐出曲がりが全くないか、不吐出若しくは吐出曲がりが僅かにあったが、前記不吐出若しくは吐出曲がりが、共に５回以内のパージによって回復した。
Ｃ：連続印字中において、不吐出および吐出曲がりが多数有り、前記不吐出および吐出曲がりが、共に５回のパージでは回復しなかった。
【００７６】
（ｄ）耐オゾン性評価
スガ試験機（株）製のオゾンウェザーメーターＯＭＳ−Ｈを用いて、オゾン濃度２ｐｐｍ、槽内温度２４℃、槽内相対湿度６０％の条件下、前記グラデーションサンプルを４０時間放置した。ついで、前記放置後の前記パッチのＯＤ値を、前述と同様にして、測定した。つぎに、下記式（Ｉ）によりＯＤ値減少率（％）を求め、耐オゾン性を、下記の評価基準に従って評価した。なお、前記ＯＤ値減少率が小さいほど、画質の劣化が少なく、耐オゾン性に優れていたこととなる。
ＯＤ値減少率（％）＝｛（Ｘ−Ｙ）／Ｘ｝×１００      ・・・（Ｉ）
Ｘ：０．８（初期ＯＤ値）
Ｙ：放置後のＯＤ値
【００７７】
耐オゾン性評価基準
Ａ：ＯＤ値減少率が、２０％未満
Ｃ：ＯＤ値減少率が、２０％以上
【００７８】
（ｅ）耐光性評価
スガ試験機（株）製の強エネルギーキセノンウェザーメーターＳＣ７５０―ＷＮを用いて、槽内温度２５℃、槽内相対湿度５０％、照度９３ｋｌｘの条件下、前記グラデーションサンプルにキセノンランプ光を２００時間照射した。ついで、前記照射後の前記パッチのＯＤ値を、前述と同様にして、測定した。つぎに、下記式（ＩＩ）によりＯＤ値減少率（％）を求め、耐光性を、下記の評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（ＩＩ）
Ｘ：０．８（初期ＯＤ値）
Ｙ：照射後のＯＤ値
【００７９】
耐光性評価基準
Ａ：ＯＤ値減少率が、３０％未満
Ｃ：ＯＤ値減少率が、３０％以上
【００８０】
（ｆ）ゴム析出性評価
インク１ｇあたりの接触面積が３０ｍｍ２となる条件で、前記インクにゴム片（エチレンプロピレンゴム（ＥＰＤＭ）；ゴム硬度（旧ＪＩＳ  Ｋ  ６３０１  Ａ型による測定）４０°）を浸漬させ、温度７０℃の環境下で１週間保存した。前記保存後、前記インクから前記ゴム片を取り出した後、前記インクを東洋濾紙（株）製の親水性ポリテトラフルオロエチレン（ＰＴＦＥ）タイプメンブレンフィルタ（孔径：０．２μｍ；直径：１５ｍｍ）でろ過し、ろ過に要する時間を計測した。コントロールとして、前記保存前のインクを、前述と同様の条件でろ過し、ろ過に要する時間を計測した。つぎに、下記式（ＩＩＩ）によりろ過時間の増加率を求め、ゴム析出性を、下記の評価基準に従って評価した。
ろ過時間の増加率＝Ｙ／Ｘ      ・・・（ＩＩＩ）
Ｘ：保存前のろ過時間
Ｙ：保存後のろ過時間
【００８１】
ゴム析出性評価基準
Ａ：ろ過時間の増加率が、１．３倍未満
Ｃ：ろ過時間の増加率が、１．３倍以上
【００８２】
（ｇ）総合評価
各インクについて、前記（ａ）〜（ｆ）の結果から、下記の評価基準に従って総合評価を行った。
【００８３】
総合評価基準
Ａ：すべての評価結果がＡであった。
Ｃ：評価結果のいずれかにＣがあった。
【００８４】
各実施例のインクの組成および評価結果を、下記表１に示す。また、各比較例のインクの組成および評価結果を、下記表２に示す。
【００８５】
【表１】
0005398979.tif 000015
【００８６】
【表２】
0005398979.tif 000016
【００８７】
前記表１に示すとおり、実施例１〜１２のインクは、印字品質評価（ブリーディング）、印字品質評価（フェザリング）、噴射安定性評価、耐オゾン性評価、耐光性評価およびゴム析出性評価のすべての結果が、良好であった。一方、前記表２に示すとおり、一般式（２）で表される界面活性剤を含まない比較例１、３および５のインクは、印字品質評価（ブリーディング）の結果が劣っていた。また、前記染料およびＤＰＰの配合量に対し、一般式（２）で表される界面活性剤の配合量が多く、前記（Ｃ）の条件を満たさない比較例２、６のインクは、印字品質評価（フェザリング）の結果が劣っていた。また、前記染料およびＤＰＰの配合量に対し、一般式（２）で表される界面活性剤の配合量が多く、前記（Ｃ）の条件を満たさない比較例４のインクは、印字品質評価（フェザリング）の結果が劣っていた。また、前記染料およびＤＰＰの配合量に対し、一般式（２）で表される界面活性剤の配合量が少なく、前記（Ｃ）の条件を満たさない比較例７のインクは、印字品質評価（ブリーディング）の結果が劣っていた。また、前記染料およびＤＰＰの配合量に対し、一般式（２）で表される界面活性剤の配合量が多く、前記（Ｃ）の条件を満たさない比較例８のインクは、印字品質評価（フェザリング）の結果が劣っていた。また、ｙ＞３．０である比較例９のインクは、噴射安定性評価の結果が劣っていた。また、ＤＰＰを含まない比較例１０のインクは、印字品質評価（ブリーディング）の結果が劣っていた。また、ＤＰＰを含まない比較例１１のインクは、ＤＰＰの代わりに配合したジプロピレングリコールメチルエーテルによって、印字品質評価（ブリーディング）の結果が劣っていた。また、ＤＰＰを含まない比較例１２および１３のインクは、ＤＰＰの代わりに配合したジプロピレングリコールブチルエーテルまたはプロピレングリコールプロピルエーテルによって、印字品質評価（フェザリング）およびゴム析出性評価の結果が劣っていた。また、染料（１）に代えてＣ．Ｉ．アシッドレッド１４またはＣ．Ｉ．ダイレクトレッド２２７を用いた比較例１４および比較例１５のインクは、耐オゾン性評価および耐光性評価の結果が劣っていた。
【産業上の利用可能性】
【００８８】
以上のように、本発明のインクは、噴射安定性および印字品質に優れ、インクジェット記録装置内のゴム部材等に由来する化合物のインク中への溶出が防止され、且つ、記録物の堅牢性にも優れるものである。本発明のインクの用途は、限定されず、各種のインクジェット記録に広く適用可能である。
【図面の簡単な説明】
【００８９】
【図１】図１は、本発明のインクジェット記録用インクにおける前記染料の配合量（ｘ）、ジプロピレングリコールプロピルエーテル（ＤＰＰ）の配合量（ｙ）および一般式（２）で表される界面活性剤の配合量（ｚ）を説明するための図である。
【図２】図２は、本発明のインクジェット記録装置の構成の一例を示す概略斜視図である。
【符号の説明】
【００９０】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
0005398979.tif 000024
【図２】
0005398979.tif 000025